(57)【要約】【課題】１つのユニットで複数のバスバー及びバスバー中継端子を使用した場合、従来に比べ、複数のバスバー及び前記中継端子の配置に要する空間を小さくでき、これらの相互間の絶縁を確保出来、振動や衝撃によるこれらの破損を大きく減少出来る、バスバー中継端子集合体を提供することである。【解決手段】このようなバスバー中継端子集合体１０は、夫々が複数のバスバー１４ｄ，１４ｆ，１４ｊ；１４ｅ，１４ｈ，１４ｋ；１４ｇ，１４ｉ，１４ｌとの複数の接続部ａ１〜ａ３，ｂ１〜ｂ３，ｃ１〜ｃ３を有している複数のバスバー中継端子１０ａ，１０ｂ，１０ｃと、複数のバスバー中継端子の間に挟持され複数のバスバー中継端子を相互に電気的に絶縁する絶縁体１０ｄ，１０ｅと、を備えている。そして、複数のバスバー中継端子の夫々の複数の接続部が、複数のバスバー中継端子が相互間に絶縁体を挟持した状態で、他のバスバー中継端子の複数の接続部から離間するよう配置されている、ことを特徴としている。【選択図】    図１
2017055524.tif 000002
【特許請求の範囲】
【請求項１】
夫々が複数のバスバーとの複数の接続部を有している複数のバスバー中継端子と、
複数のバスバー中継端子の間に挟持され複数のバスバー中継端子を相互に電気的に絶縁する絶縁体と、
を備えており、
複数のバスバー中継端子の夫々の複数の接続部が、複数のバスバー中継端子が相互間に絶縁体を挟持した状態で、他のバスバー中継端子の複数の接続部から離間するよう配置されている、
ことを特徴とするバスバー中継端子集合体。
【請求項２】
少なくとも１つのバスバー中継端子の複数の接続部において、少なくとも１つの接続部が他の接続部とは異なった方向を向いている、ことを特徴とする請求項１に記載のバスバー中継端子集合体。
【請求項３】
複数のバスバー中継端子の少なくとも１つが、少なくとも１つの接続部を有している第１平面と残りの接続部を有しており前記第１平面と交差する第２平面とを含む、ことを特徴とする請求項２に記載のバスバー中継端子集合体。
【請求項４】
複数のバスバー中継端子の夫々が、所定の方向に相互に離間した複数の位置で相互に同じ方向に延出し夫々に接続部が設けられている複数の第１脚部分と、前記所定の方向と交差する方向に延出し接続部が設けられている少なくとも１つの第２脚部分と、を含む、ことを特徴とする請求項１に記載のバスバー中継端子集合体。
【請求項５】
前記第２脚部分が前記複数の第１脚部分を含む第１平面と交差する第２平面において延出していて、前記第２脚部分の接続部が前記複数の第１脚部分の複数の接続部とは異なった方向を向いている、ことを特徴とする請求項４に記載のバスバー中継端子集合体。
【請求項６】
前記複数のバスバーの夫々が導電性の帯状の板を含む、ことを特徴とする請求項１乃至５の何れか１項に記載のバスバー中継端子集合体。
【発明の詳細な説明】
【技術分野】
【０００１】
本発明の実施形態は、バスバー中継端子集合体に関係している。
【背景技術】
【０００２】
出来る限りコンパクトであることが求められている１つのユニットにおいて相互に独立した複数の電気又は電子部品間に比較的大きな電流を流す必要がある場合、太い電線に代わりバスバーが使用される。複数の電気又は電子部品間を複数のバスバーを使用して所望の配線で電気的に接続する為に、複数のバスバーを交差させる必要がある場合がある。このような場合には、複数のバスバーの複雑な配置を出来る限り簡素にする為に複数のバスバー中継端子が使用されることがある。
【発明の概要】
【発明が解決しようとする課題】
【０００３】
しかしながら、１つのユニットにおいて複数のバスバー及び複数のバスバー中継端子を使用する場合には、複数のバスバー及び複数のバスバー中継端子の相互間に絶縁距離を確保する為や１つのユニットに加えられる可能性のある振動や衝撃により複数のバスバー及び複数のバスバー中継端子が破損しないようにする為に、複数のバスバー及び複数のバスバー中継端子の配置に要する空間が大きくなる。
【０００４】
この実施形態の目的は、１つのユニットで複数のバスバー及び複数のバスバー中継端子を使用した場合でも、従来に比べ複数のバスバー及び複数のバスバー中継端子の配置に要する空間を小さくすることができ、しかも複数のバスバー及び複数のバスバー中継端子の相互間の絶縁を確実に確保することが出来るとともに１つのユニットに加えられる可能性のある振動や衝撃により複数のバスバー及び複数のバスバー中継端子が破損する可能性を従来に比べ大きく減少させることが出来る、バスバー中継端子集合体を提供することである。
【課題を解決するための手段】
【０００５】
実施形態に従ったバスバー中継端子集合体は、夫々が複数のバスバーとの複数の接続部を有している複数のバスバー中継端子と、複数のバスバー中継端子の間に挟持され複数のバスバー中継端子を相互に電気的に絶縁する絶縁体と、を備えている。そして、複数のバスバー中継端子の夫々の複数の接続部が、複数のバスバー中継端子が相互間に絶縁体を挟持した状態で、他のバスバー中継端子の複数の接続部から離間するよう配置されている、ことを特徴としている。
【図面の簡単な説明】
【０００６】
【図１】図１の（Ａ）は、複数の電気又は電子部品を所定の配線で相互に電気的に接続した第１実施形態のバスバー中継端子集合体及び複数のバスバーを概略的に示す図であり；図１の（Ｂ）は、図１の（Ａ）のＢ−Ｂ線に沿った概略的な断面図であり；図１の（Ｃ）は、図１の（Ａ）のＣ−Ｃ線に沿った概略的な断面図であり；図１の（Ｄ）は、図１の（Ａ）のＤ−Ｄ線に沿った概略的な断面図であり；そして、図１の（Ｅ）は図１の（Ａ）のバスバー中継端子集合体の分解平面図である。
【図２】図２は、第２実施形態のバスバー中継端子集合体及び複数のバスバーを使用して複数の電気又は電子部品が所定の配線で相互に電気的に接続されている電気回路ユニットの一例の概略的な平面図である。
【図３】図３は、図２の電気回路ユニットの概略的な正面図である。
【図４】図４は、図２及び図３の第２実施形態のバスバー中継端子集合体の概略的な分解斜視図である。
【発明を実施するための形態】
【０００７】
以下、複数の実施形態に従ったバスバー中継端子集合体について、添付の図面を参照して説明する。
【０００８】
［第１実施形態］
図１の（Ａ）乃至図１の（Ｅ）を参照しながら第１実施形態に従ったバスバー中継端子集合体１０を説明する。
【０００９】
図１の（Ａ）には、複数の電気又は電子部品を所定の配線で相互に電気的に接続した第１実施形態のバスバー中継端子集合体１０及び複数のバスバーが概略的に示されている。図１の（Ｂ）には、図１の（Ａ）のＢ−Ｂ線に沿った概略的な断面図が示されており；図１の（Ｃ）には、図１の（Ａ）のＣ−Ｃ線に沿った概略的な断面図が示されており；図１の（Ｄ）には、図１の（Ａ）のＤ−Ｄ線に沿った概略的な断面図が示されており；そして、図１の（Ｅ）には、図１の（Ａ）のバスバー中継端子集合体１０の分解平面図が示されている。
【００１０】
ここにおいては、図示されていない複数の電気又は電子部品が搭載されている回路基板１２ａが、第１乃至第３のバスバー１４ａ，１４ｂ，１４ｃにより第１乃至第３の電気又は電子部品１２ｂ，１２ｃ，１２ｄと所定の配線で電気的に接続されている。第１乃至第３の電気又は電子部品１２ｂ，１２ｃ，１２ｄは、第４乃至第９のバスバー１４ｄ，１４ｅ，１４ｆ，１４ｇ，１４ｈ，１４ｉによりバスバー中継端子集合体１０と所定の配線で電気的に接続されている。バスバー中継端子集合体１０は、第１０乃至第１２のバスバー１４ｊ，１４ｋ，１４ｌにより第４の電気又は電子部品１２ｅと所定の配線で電気的に接続されている。
【００１１】
バスバー中継端子集合体１０は、複数のバスバー中継端子、この実施形態では第１乃至第３のバスバー中継端子１０ａ，１０ｂ，１０ｃ、を備えている。バスバー中継端子集合体１０は、複数のバスバー中継端子、この実施形態では第１乃至第３のバスバー中継端子１０ａ，１０ｂ，１０ｃ、の間に挟持され複数のバスバー中継端子を相互に電気的に絶縁する複数の絶縁体、この実施形態では第１及び第２の絶縁体１０ｄ，１０ｅ、を備えている。
【００１２】
複数のバスバー中継端子の夫々は複数のバスバーとの複数の接続部を有している。  
この実施形態では、第１のバスバー中継端子１０ａは、第１の電気又は電子部品１２ｂの第４のバスバー１４ｄと電気的に接続する為の第１の接続部ａ１及び第２の電気又は電子部品１２ｃの第６のバスバー１４ｆと電気的に接続する為の第２の接続部ａ２を備えている。第１のバスバー中継端子１０ａはさらに、第４の電気又は電子部品１２ｅの第１０のバスバー１４ｊと電気的に接続する為の第３の接続部ａ３を備えている。
【００１３】
第２のバスバー中継端子１０ｂは、第１の電気又は電子部品１２ｂの第５のバスバー１４ｅと電気的に接続する為の第１の接続部ｂ１及び第３の電気又は電子部品１２ｄの第８のバスバー１４ｈと電気的に接続する為の第２の接続部ｂ２を備えている。第２のバスバー中継端子１０ｂはさらに、第４の電気又は電子部品１２ｅの第１１のバスバー１４ｋと電気的に接続する為の第３の接続部ｂ３を備えている。
【００１４】
第３のバスバー中継端子１０ｃは、第２の電気又は電子部品１２ｃの第７のバスバー１４ｇと電気的に接続する為の第１の接続部ｃ１及び第３の電気又は電子部品１２ｄの第９のバスバー１４ｉと電気的に接続する為の第２の接続部ｃ２を備えている。第３のバスバー中継端子１０ｃはさらに、第４の電気又は電子部品１２ｅの第１２のバスバー１４ｌと電気的に接続する為の第３の接続部ｃ３を備えている。
【００１５】
複数のバスバー中継端子の夫々の複数の接続部は、複数のバスバー中継端子が相互間に絶縁体を挟持した状態で、他のバスバー中継端子の複数の接続部から離間するよう配置されている。さらに、少なくとも１つのバスバー中継端子の複数の接続部において、少なくとも１つの接続部が他の接続部とは異なった方向を向いている。
【００１６】
この実施形態においては、第１のバスバー中継端子１０ａは導電性の帯状の板により形成されていて、第１の電気又は電子部品１２ｂからの第４のバスバー１４ｄの延出端と直線上に対向した第１位置から第２の電気又は電子部品１２ｃからの第６のバスバー１４ｆの延出端と直線状に対向した第２位置まで細長く延出している。第１のバスバー中継端子１０ａでは、第１位置に第１の接続部ａ１が、第２位置に第２の接続部ａ２が形成されている。第１のバスバー中継端子１０ａではまた、第１位置と第２位置との間で第４の電気又は電子部品１２ｅからの第１０のバスバー１４ｊの延出端と直線状に対向した第３位置に第３の接続部ａ３が形成されている。
【００１７】
第１乃至第３の電気又は電子部品１２ｂ，１２ｃ，１２ｄは、第１のバスバー中継端子１０ａに対し、第１のバスバー中継端子１０ａの長手方向と直交する方向における一方の側で上記長手方向に相互に離間して配置されていて、第４の電気又は電子部品１２ｅは上記直交方向における他方の側で上記長手方向に延出して配置されている。従って、第１のバスバー中継端子１０ａにおいて、第３の接続部ａ３は第１及び第２の接続部ａ１，ａ２とは異なった方向を向いている。
【００１８】
第１のバスバー中継端子１０ａは、所定の方向、この実施形態では前記長手方向、に相互に離間した複数の位置、この実施形態では前記第１及び第２位置、で相互に同じ方向、この実施形態では第１乃至第３の電気又は電子部品１２ｂ，１２ｃ，１２ｄに向かう方向、に延出した複数の、この実施形態では２つの、第１脚部分ＦＬ１を含み、２つの第１脚部分ＦＬ１に第１及び第２の接続部ａ１，ａ２が形成されている。
【００１９】
第１のバスバー中継端子１０ａは、上記所定の方向と交差する方向、この実施形態では第４の電気又は電子部品１２ｅに向かう方向、に延出した少なくとも１つ、この実施形態では１つ、の第２脚部分ＳＬ１を含み、第２脚部分ＳＬ１に第３の接続部ａ３が形成されている。
【００２０】
第２脚部分ＳＬ１は、複数の第１脚部分ＦＬ１を含む仮想の第１平面、図１の（Ａ）では複数の第１脚部分ＦＬ１を含み紙面と直交する方向に延出している平面、と交差する第２平面、図１の（Ａ）では紙面に沿った方向に延出している平面、に延出している。この結果として、第２脚部分ＳＬ１の第３の接続部ａ３は２つの第１脚部分ＦＬ１の第１及び第２の接続部ａ１，ａ２とは異なった方向を向いている。
【００２１】
この実施形態においては、第２のバスバー中継端子１０ｂも導電性の帯状の板により形成されていて、第１の電気又は電子部品１２ｂからの第５のバスバー１４ｅの延出端と直線上に対向した第１位置から第３の電気又は電子部品１２ｄからの第８のバスバー１４ｈの延出端と直線状に対向した第２位置まで細長く延出している。第２のバスバー中継端子１０ｂでは、第１位置に第１の接続部ｂ１が、第２位置に第２の接続部ｂ２が形成されている。第２のバスバー中継端子１０ｂではまた、第１位置と第２位置との間で第４の電気又は電子部品１２ｅからの第１１のバスバー１４ｋの延出端と直線状に対向した第３位置に第３の接続部ｂ３が形成されている。
【００２２】
第１乃至第３の電気又は電子部品１２ｂ，１２ｃ，１２ｄは、第２のバスバー中継端子１０ｂに対し、第２のバスバー中継端子１０ｂの長手方向と直交する方向における一方の側で上記長手方向に相互に離間して配置されていて、第４の電気又は電子部品１２ｅは上記直交方向における他方の側で上記長手方向に延出して配置されている。従って、第２のバスバー中継端子１０ｂにおいて、第３の接続部ｂ３は第１及び第２の接続部ｂ１，ｂ２とは異なった方向を向いている。
【００２３】
第２のバスバー中継端子１０ｂは、所定の方向、この実施形態では前記長手方向、に相互に離間した複数の位置、この実施形態では前記第１及び第２位置、で相互に同じ方向、この実施形態では第１乃至第３の電気又は電子部品１２ｂ，１２ｃ，１２ｄに向かう方向、に延出した複数の、この実施形態では２つの、第１脚部分ＦＬ２を含み、２つの第１脚部分ＦＬ２に第１及び第２の接続部ｂ１，ｂ２が形成されている。
【００２４】
第２のバスバー中継端子１０ｂは、上記所定の方向と交差する方向、この実施形態では第４の電気又は電子部品１２ｅに向かう方向、に延出した少なくとも１つ、この実施形態では１つ、の第２脚部分ＳＬ２を含み、第２脚部分ＳＬ２に第３の接続部ｂ３が形成されている。
【００２５】
第２脚部分ＳＬ２は、複数の第１脚部分ＦＬ２を含む仮想の第１平面、図１の（Ａ）では複数の第１脚部分ＦＬ２を含み紙面と直交する方向に延出している平面、と交差する第２平面、図１の（Ａ）では紙面に沿った方向に延出している平面、に延出している。この結果として、第２脚部分ＳＬ２の第３の接続部ｂ３は２つの第１脚部分ＦＬ２の第１及び第２の接続部ｂ１，ｂ２とは異なった方向を向いている。
【００２６】
この実施形態においては、第３のバスバー中継端子１０ｃも導電性の帯状の板により形成されていて、第２の電気又は電子部品１２ｃからの第７のバスバー１４ｇの延出端と直線上に対向した第１位置から第３の電気又は電子部品１２ｄからの第９のバスバー１４ｉの延出端と直線状に対向した第２位置まで細長く延出している。第３のバスバー中継端子１０ｃでは、第１位置に第１の接続部ｃ１が、第２位置に第２の接続部ｃ２が形成されている。第３のバスバー中継端子１０ｃではまた、第１位置と第２位置との間で第４の電気又は電子部品１２ｅからの第１２のバスバー１４ｌの延出端と直線状に対向した第３位置に第３の接続部ｃ３が形成されている。
【００２７】
第１乃至第３の電気又は電子部品１２ｂ，１２ｃ，１２ｄは、第３のバスバー中継端子１０ｃに対し、第３のバスバー中継端子１０ｃの長手方向と直交する方向における一方の側で上記長手方向に相互に離間して配置されていて、第４の電気又は電子部品１２ｅは上記直交方向における他方の側で上記長手方向に延出して配置されている。従って、第３のバスバー中継端子１０ｃにおいて、第３の接続部ｃ３は第１及び第２の接続部ｃ１，ｃ２とは異なった方向を向いている。
【００２８】
第３のバスバー中継端子１０ｃは、所定の方向、この実施形態では前記長手方向、に相互に離間した複数の位置、この実施形態では前記第１及び第２位置、で相互に同じ方向、この実施形態では第１乃至第３の電気又は電子部品１２ｂ，１２ｃ，１２ｄに向かう方向、に延出した複数の、この実施形態では２つの、第１脚部分ＦＬ３を含み、２つの第１脚部分ＦＬ３に第１及び第２の接続部ｃ１，ｃ２が形成されている。
【００２９】
第３のバスバー中継端子１０ｃは、上記所定の方向と交差する方向、この実施形態では第４の電気又は電子部品１２ｅに向かう方向、に延出した少なくとも１つ、この実施形態では１つ、の第２脚部分ＳＬ３を含み、第２脚部分ＳＬ３に第３の接続部ｃ３が形成されている。
【００３０】
第２脚部分ＳＬ３は、複数の第１脚部分ＦＬ３を含む仮想の第１平面、図１の（Ａ）では複数の第１脚部分ＦＬ３を含み紙面と直交する方向に延出している平面、と交差する第２平面、図１の（Ａ）では紙面に沿った方向に延出している平面、に延出している。この結果として、第２脚部分ＳＬ３の第３の接続部ｃ３は２つの第１脚部分ＦＬ３の第１及び第２の接続部ｃ１，ｃ２とは異なった方向を向いている。
【００３１】
前述した如く構成された第１乃至第３のバスバー中継端子１０ａ，１０ｂ，そして１０ｃは、相互間の所定位置に第１及び第２の絶縁体１０ｄ，１０ｅを挟持した状態で一体に組み合わされ、例えば接着剤の如き公知の絶縁固定手段により相互に固定されることにより、図１の（Ａ）中に示されている如き第１実施形態のバスバー中継端子集合体１０を構成する。
【００３２】
第１及び第２の絶縁体１０ｄ，１０ｅは、第１乃至第３のバスバー中継端子１０ａ，１０ｂ，そして１０ｃの夫々の為の所定位置に第１乃至第３のバスバー中継端子１０ａ，１０ｂ，そして１０ｃが所定の姿勢で配置されることにより、第１乃至第３のバスバー中継端子１０ａ，１０ｂ，そして１０ｃの夫々を所定の相対位置に配列する位置決め部材としても機能するよう構成されている。
【００３３】
相互間に挟持した第１及び第２の絶縁体１０ｄ，１０ｅにより所定の相対位置に配列された第１乃至第３のバスバー中継端子１０ａ，１０ｂ、１０ｃにおいては、図１の（Ａ）中に示されている如く：第１のバスバー中継端子１０ａの第１乃至第３の接続部ａ１，ａ２，ａ３の相互間の相対位置が、それらが接続される第１の電気又は電子部品１２ｂの第４のバスバー１４ｄの延出端，第２の電気又は電子部品１２ｂの第６のバスバー１４ｆの延出端，そして第４の電気又は電子部品１２ｅの第１０のバスバー１４ｊの延出端の相互間の相対位置に合致し；第２のバスバー中継端子１０ｂの第１乃至第３の接続部ｂ１，ｂ２，ｂ３の相互間の相対位置が、それらが接続される第１の電気又は電子部品１２ｂの第５のバスバー１４ｅの延出端，第３の電気又は電子部品１２ｄの第８のバスバー１４ｈの延出端，そして第４の電気又は電子部品１２ｅの第１１のバスバー１４ｋの延出端の相互間の相対位置に合致し；さらに、第３のバスバー中継端子１０ｃの第１乃至第３の接続部ｃ１，ｃ２，ｃ３の相互間の相対位置が、それらが接続される第２の電気又は電子部品１２ｃの第７のバスバー１４ｇの延出端，第３の電気又は電子部品１２ｄの第９のバスバー１４ｉの延出端，そして第４の電気又は電子部品１２ｅの第１２のバスバー１４ｌの延出端の相互間の相対位置に合致します。
【００３４】
さらにここにおいては、第１のバスバー中継端子１０ａの第１乃至第３の接続部ａ１，ａ２，ａ３と、第２のバスバー中継端子１０ｂの第１乃至第３の接続部ｂ１，ｂ２，ｂ３と、第３のバスバー中継端子１０ｃの第１乃至第３の接続部ｃ１，ｃ２，ｃ３とが、互いに離間している。
【００３５】
第１及び第２の絶縁体１０ｄ，１０ｅとともに、図１の（Ａ）中に示されている如く、一体的に固定された第１乃至第３のバスバー中継端子１０ａ，１０ｂ，そして１０ｃは、相互間の絶縁が第１及び第２の絶縁体１０ｄ，１０ｅにより達成されるので、相互間の絶縁が空間により行われていた従来に比べ、全体の寸法がコンパクトになっている。
【００３６】
このことは、１つのユニットで第１乃至第１２のバスバー１４ａ〜１４ｌの如き複数のバスバー及び第１乃至第３のバスバー中継端子１０ａ，１０ｂ，そして１０ｃの如き複数のバスバー中継端子を使用した場合でも、従来に比べ複数のバスバー及び複数のバスバー中継端子の配置に要する空間を小さくすることができ、しかも複数のバスバー及び複数のバスバー中継端子の相互間の絶縁を確実に確保することが出来るとともに１つのユニットに加えられる可能性のある振動や衝撃により複数のバスバー及び複数のバスバー中継端子が破損する可能性を従来に比べ大きく減少させることが出来る、ことを意味している。
【００３７】
さらにここにおいては、第１のバスバー中継端子１０ａの２つの第１の脚部分ＦＬ１の間の空間が、第１の絶縁体１０ｄを介して第１のバスバー中継端子１０ａに固定されている第２のバスバー中継端子１０ｂにおいて第１のバスバー中継端子１０ａの２つの第１の脚部分ＦＬ１の間の空間に対応して配置される一方の第１の脚部分ＦＬ２の第１の接続部ｂ１に対する第１の電気又は電子部品１２ｂの第５のバスバー１４ｅの延出端の電気的な接続を容易にしている。また、第２のバスバー中継端子１０ｂの他方の第１の脚部分ＦＬ２が、この他方の第１の脚部分ＦＬ２の第２の接続部ｂ２に対する第３の電気又は電子部品１２ｃの第８のバスバー１４ｈの延出端の電気的な接続を容易にしている。
【００３８】
さらにここにおいては、第２のバスバー中継端子１０ｂの２つの第１の脚部分ＦＬ２の間の空間が、第２の絶縁体１０ｅを介して第２のバスバー中継端子１０ｂに固定されている第３のバスバー中継端子１０ｃにおいて第２のバスバー中継端子１０ｂの２つの第１の脚部分ＦＬ２の間の空間に対応して配置される一方の第１の脚部分ＦＬ３の第１の接続部ｃ１に対する第２の電気又は電子部品１２ｂの第７のバスバー１４ｇの延出端の電気的な接続を容易にしている。また、第３のバスバー中継端子１０ｃの他方の第１の脚部分ＦＬ３が、この他方の第１の脚部分ＦＬ３の第２の接続部ｃ２に対する第３の電気又は電子部品１２ｃの第９のバスバー１４ｉの延出端の電気的な接続を容易にしている。
【００３９】
図１の（Ａ）中には、第１実施形態のバスバー中継端子集合体１０の第１のバスバー中継端子１０ａの第１乃至第３の接続部ａ１，ａ２，ａ３、第２のバスバー中継端子１０ｂの第１乃至第３の接続部ｂ１，ｂ２，ｂ３、そして第３のバスバー中継端子１０ｃの第１乃至第３の接続部ｃ１，ｃ２，ｃ３に対する、第１乃至第４の電気又は電子部品１２ｂ，１２ｃ，１２ｄ，１２ｅの第４乃至第１２のバスバー１４ｄ，１４ｅ，１４ｆ，１４ｇ，１４ｈ，１４ｉ，１４ｊ，１４ｋ，１４ｌの正しい電気的な接続が行われた後の、第１乃至第３の電気又は電子部品１２ｂ，１２ｃ，１２ｄから第４の電気又は電子部品１２ｅへの第１実施形態のバスバー中継端子集合体１０の第１乃至第３のバスバー中継端子１０ａ，１０ｂ，１０ｃを介しての電流の流れが第１乃至第３のバスバー中継端子１０ａ，１０ｂ，１０ｃ中に矢印で示されている。
【００４０】
［第２実施形態］
次に、図２乃至図４を参照しながら第２実施形態に従ったバスバー中継端子集合体２０を説明する。
【００４１】
図２には、第２実施形態のバスバー中継端子集合体２０及び複数のバスバーを使用して複数の電気又は電子部品が所定の配線で相互に電気的に接続されている電気回路ユニット３０の一例の概略的な平面図が示されている。図３には、図２の電気回路ユニット３０の概略的な正面図が示されている。図４には、図２及び図３の第２実施形態のバスバー中継端子集合体２０の概略的な分解斜視図が示されている。
【００４２】
図３中に示されている如く、電気回路ユニット３０は、図示されていない複数の電気又は電子部品が搭載され所定の配列で配置されている少なくとも１つの回路基板と、前記少なくとも１つの回路基板の最も外側の２つの平面の一方に熱伝導可能に連結されている放熱部材３２、この実施形態では放熱フィン、と、前記少なくとも１つの回路基板の最も外側の２つの平面の他方を覆う保護カバー３４と、備えている。なお、図２では、保護カバー３４が省略されている。
【００４３】
電気回路ユニット３０の一端部に、第２実施形態に従ったバスバー中継端子集合体２０が一体的に設けられている。バスバー中継端子集合体２０は、電気回路ユニット３０の図示されていない少なくとも１つの回路基板の複数の電気又は電子部品を、複数のバスバーを使用して図示されていない外部の複数の電気又は電子部品に所望の配線で電気的に接続する為に使用されている。
【００４４】
バスバー中継端子集合体２０は、夫々が複数のバスバーとの複数の接続部を有している複数のバスバー中継端子、この実施形態では第１乃至第４のバスバー中継端子２０ａ，２０ｂ，２０ｃ，２０ｄ、と、複数のバスバー中継端子の間に挟持され複数のバスバー中継端子を相互に電気的に絶縁する絶縁体、この実施形態では第１乃至第４の絶縁体２２ａ，２２ｂ，２２ｃ，２２ｄ、と、を備えている。
【００４５】
第１のバスバー中継端子２０ａは、導電性の帯状の板を含み、電気回路ユニット３０の図示されていない少なくとも１つの回路基板の１つの電気又は電子部品からの第１バスバー２４ａの延出端と電気的に接続する為の第１の接続部ａ１と、図示されていない外部の複数の電気又は電子部品からの第１乃至第３の外部接続バスバー２６ａ，２６ｂ，２６ｃの延出端と電気的に接続する為の第２乃至第４の接続部ａ２，ａ３，ａ４と、を有している。第１のバスバー中継端子２０ａの複数の接続部、この実施形態では第１乃至第４の接続部ａ１，ａ２，ａ３，ａ４、が、同一平面内に相互に離間して配置されていて相互に同じ方向を向いている。
【００４６】
第２のバスバー中継端子２０ｂは、導電性の帯状の板を含み、電気回路ユニット３０の図示されていない少なくとも１つの回路基板の１つの電気又は電子部品からの第２バスバー２４ｂの延出端と電気的に接続する為の第１の接続部ｂ１と、図示されていない外部の複数の電気又は電子部品からの第４乃至第１３の外部接続バスバー２６ｄ，２６ｅ，２６ｆ，２６ｇ，２６ｈ，２６ｉ，２６ｊ，２６ｋ，２６ｌ，２６ｍの延出端と電気的に接続する為の第２乃至第１１の接続部ｂ２，ｂ３，ｂ４，ｂ５，ｂ６，ｂ７，ｂ８，ｂ９，ｂ１０，ｂ１１と、を有している。
【００４７】
第２のバスバー中継端子２０ｂの複数の接続部、この実施形態では第１乃至第１１接続部ｂ１，ｂ２，ｂ３，ｂ４，ｂ５，ｂ６，ｂ７，ｂ８，ｂ９，ｂ１０，ｂ１１、の中の少なくとも１つ、この実施形態では第１乃至第７接続部ｂ１〜ｂ７、が他の接続部、この実施形態では第８乃至第１１接続部ｂ８〜ｂ１１、とは異なった方向を向いている。
【００４８】
第２のバスバー中継端子２０ｂは、少なくとも１つの接続部、この実施形態では第１乃至第７接続部ｂ１〜ｂ７、を有している第１平面ＰＳ１と、残りの接続部、この実施形態では第８乃至第１１接続部ｂ８〜ｂ１１、を有しており第１平面ＰＳ１と交差する第２平面ＰＳ２と、を含む。この実施形態では、第２平面ＰＳ２は第１平面ＰＳ１に対し略直角に交差している。
【００４９】
第１及び第２のバスバー中継端子２０ａ，２０ｂは、第１の絶縁体２２ａを挟持して相互に並んで配置されている。第１の絶縁体２２ａは帯板形状をしていて、その細長い第１平面がその長手方向に沿った所定の複数の位置の複数の仕切り、この実施形態では両端と中間の３つの位置の３つの仕切りＰＷ１，ＰＷ２，ＰＷ３、により、複数の区画、この実施形態では第１及び第２の区画Ｓ１，Ｓ２、に仕切られている。
【００５０】
第１の絶縁体２２ａの第１平面の第１及び第２の区画Ｓ１，Ｓ２の夫々の形状及び寸法は、第１のバスバー中継端子２０ａの平面及び第２のバスバー中継端子２０ｂの第１平面ＰＳ１の夫々の形状及び寸法と概略一致している。第１の絶縁体２２ａの第１平面の第１及び第２の区画Ｓ１，Ｓ２の夫々には、第１のバスバー中継端子２０ａの平面及び第２のバスバー中継端子２０ｂの第１平面ＰＳ１が載置され、例えば固定ねじの如き公知の固定手段により固定される。この際には、第１のバスバー中継端子２０ａと第２のバスバー中継端子２０ｂとは相互間に仕切りＰＷ２を挟持することにより相互に電気的に絶縁されている。
【００５１】
第１の絶縁体２２ａの第１平面の第１及び第２の区画Ｓ１，Ｓ２において第１及び第２のバスバー中継端子２０ａ，２０ｂは、電気回路ユニット３０の第１バスバー２４ａの延出端及び第２バスバー２４ｂの延出端との電気的な接続の為の第１接続部ａ１，ｂ１が電気回路ユニット３０の一端部の方に向けられている。
【００５２】
第２のバスバー中継端子２０ｂの第２平面ＰＳ２の延出端部は第１の絶縁体２２ａにおいて第１平面とは反対側の第２平面から遠ざかった位置で第１のバスバー中継端子２０ａの側に延出していて、この延出端部に第２のバスバー中継端子２０ｂの第８乃至第１１接続部ｂ８〜Ｂ１１が設けられている。
【００５３】
第１の絶縁体２２ａの第２区画Ｓ２において電気回路ユニット３０の一端部とは反対側の縁には切欠きＣＤが形成されている。切欠きＣＤの形状及び寸法は、後に説明されるが第４の絶縁体２２ｄの一部の形状及び寸法と概略一致している。
【００５４】
この実施形態において第３のバスバー中継端子２０ｃは、導電性の帯状の板を含み、逆Ｌ字形状の第１平面ＰＨ１と第１平面ＰＨ１に対し交差した第２平面ＰＨ２を含む。第１平面ＰＨ１に対し第２平面ＰＨ２は略直角に交差している。
【００５５】
第３のバスバー中継端子２０ｃの第１平面ＰＨ１において電気回路ユニット３０に近い延出端部は、電気回路ユニット３０中の図示されていない少なくとも１つの回路基板の複数の電気又は電子部品からの図示されていない少なくとも１つの、この実施形態では２つの、バスバーの延出端と電気的に接続される少なくとも１つの、この実施形態では第１及び第２接続部ｃ１，ｃ２を有している。第２平面ＰＨ２は第１平面ＰＨ１の延出端部の延出方向とは反対の方向に延出しており、図示されていない外部の複数の電気又は電子部品から延出されている第１４乃至第１７の外部接続バスバー２６ｎ，２６ｏ，２６ｐ，２６ｑの延出端と電気的に接続する為の第３乃至第６の接続部ｃ３，ｃ４，ｃ５，ｃ６を有している。
【００５６】
第３のバスバー中継端子２０ｃの複数の接続部、この実施形態では第１乃至第６接続部ｃ１，ｃ２，ｃ３，ｃ４，ｃ５，ｃ６の中の少なくとも１つ、この実施形態では第１及び第２接続部ｃ１，ｃ２、が他の接続部、この実施形態では第３乃至第６接続部ｃ３〜ｃ６、とは異なった方向を向いている。
【００５７】
第２の絶縁体２２ｂは、電気回路ユニット３０の前記一端部に対応した略長方形状の本体ＢＤと、本体ＢＤにおいて電気回路ユニット３０の側の後端面の長手方向の略中央で放熱部材３２に沿った位置から電気回路ユニット３０の側に突出した略平坦な突出部ＴＢと、を含む。放熱部材３２とは反対側における本体ＢＤの表面において本体ＢＤの長手方向における略中央には、突出部ＴＢにおいて放熱部材３２とは反対側における表面まで面一に連続した第１横溝ＳＧが形成されている。
【００５８】
第２の絶縁体２２ｂにおいて、放熱部材３２とは反対側における突出部ＴＢの表面と、この表面と面一である第１横溝ＳＧの底面と、を組み合わせた形状及び寸法は、第３のバスバー中継端子２０ｃの第１平面ＰＨ１の形状及び寸法と概略一致する。
【００５９】
放熱部材３２とは反対側における本体ＢＤの表面にはさらに、第１横溝ＳＧよりは浅い縦溝ＬＧが電気回路ユニット３０の前記一端部側に沿い第１横溝ＳＧを横切って本体ＢＤの長手方向に延出して形成されている。
【００６０】
この実施形態において縦溝ＬＧは、第２の絶縁体２２ｂから電気回路ユニット３０の前記一端部を見た時に第１横溝ＳＧ１の左側に位置する本体ＢＤの一端に至る途中から第１横溝ＳＧの右側に位置する本体ＢＤの他端に至る途中まで延出している。前記本体にはさらに、縦溝ＬＧの右端部から電気回路ユニット３０の前記一端部とは反対側における前記本体の前端面まで縦溝ＬＧと面一な第２横溝ＳＧ２が形成されている。
【００６１】
第４のバスバー中継端子２０ｄは、導電性の帯状の板を含み、第２の絶縁体２２ｂの縦溝ＬＧの底面と縦溝ＬＧと面一な第２横溝ＳＧ２の底面とを組み合わせた形状及び寸法と概略一致した形状及び寸法を有する。
【００６２】
第４のバスバー中継端子２０ｄは、電気回路ユニット３０の図示されていない少なくとも１つの回路基板の少なくとも１つの、この実施形態では２つの、電気又は電子部品からの第３バスバー２４ｃの延出端及び第４バスバー２４ｄの延出端と電気的に接続する為の第１の接続部ｄ１及び第２の接続部ｄ２を有している。この実施形態においては、第１の接続部ｄ１及び第２の接続部ｄ２は、第４のバスバー中継端子２０ｄにおいて縦溝ＬＧに対応している部位の長手方向における両端部に配置されている。
【００６３】
第４のバスバー中継端子２０ｄはさらに、図示されていない外部の複数の電気又は電子部品からの第１８乃至第２０の外部接続バスバー２６ｒ，２６ｓ，２６ｔの延出端と電気的に接続する為の第３乃至第５の接続部ｄ３，ｄ４，ｄ５と、を有している。第３乃至第５の接続部ｄ３，ｄ４，ｄ５は第４のバスバー中継端子２０ｄにおいて第２横溝ＳＧ２の底面に対応した部位に配置されている。第４のバスバー中継端子２０ｄの複数の接続部、この実施形態では第１乃至第５の接続部ｄ１，ｄ２，ｄ３，ｄ４，ｄ５、が、同一平面内に相互に離間して配置されていて相互に同じ方向を向いている。
【００６４】
第３の絶縁体２２ｃは、第２の絶縁体２２ｂの本体ＢＤにおいて電気回路ユニット３０の前記一端部とは反対側の前端面に例えば固定ねじの如き公知の固定手段により固定される。第３の絶縁体２２ｃは、第２の絶縁体２２ｂの本体ＢＤの前記前端面における第２の絶縁体２２ｂの本体ＢＤの第１横溝ＳＧ１の開口に対応した切欠きＣＯと、第３の絶縁体２２ｃにおいて第２の絶縁体２２ｂの本体ＢＤの記前端面とは反対側の前端面に設けられている第１位置決め凹所ＰＤ１及び第２位置決め凹所ＰＤ２と、を有する。
【００６５】
第１位置決め凹所ＰＤ１は、第２の絶縁体２２ｂの本体ＢＤの長手方向において第３の絶縁体２２ｃの前記前端面に向かい切欠きＣＯの左側に位置し、第２のバスバー中継端子２０ｂの第２平面ＰＳ２の形状及び寸法と概略一致した形状及び寸法を有している。
【００６６】
第２位置決め凹所ＰＤ２は、第２の絶縁体２２ｂの本体ＢＤの長手方向において第３の絶縁体２２ｃの前記前端面に向かい切欠きＣＯから右側に位置し、第３のバスバー中継端子２０ｃの第２平面ＰＨ２の形状及び寸法と概略一致した形状及び寸法を有している。第２位置決め凹所ＰＤ２の一部は切欠きＣＯに連通している。
【００６７】
第４の絶縁体２２ｄは、第２の絶縁体２２ｂの本体ＢＤの第１横溝ＳＧ１の形状及び寸法と概略一致した形状及び寸法を有していて、第２の絶縁体２２Ｂの本体ＢＤの縦溝ＬＧに対応した縦溝対応部分は縦溝ＬＧに対応していない縦溝非対応部分に比べ縦溝ＬＧの底面と同一面となるよう凹んでいる。
【００６８】
第４の絶縁体２２ｄの縦溝非対応部分の形状及び寸法が、第２の絶縁体２２Ｂの本体ＢＤの前記前端面における第１横溝ＳＧ１の開口の形状及び寸法と第１の絶縁体２２ａの切欠きＣＤの形状及び寸法との組み合わせに概略一致している。
【００６９】
以上説明した如き、第２の実施形態のバスバー中継端子集合体２０の第１乃至第４のバスバー中継端子２０ａ，２０ｂ，２０ｃ，２０ｄ及び第１乃至第４の絶縁体２２ａ，２２ｂ，２２ｃ，２２ｄは以下の如く組み合わされている。
【００７０】
第１の絶縁体２２ａの第１区画Ｓ１及び第２区画Ｓ２には前述した如く第１及び第２のバスバー中継端子２０ａ及び２０ｂが載置され例えば固定ねじの如き公知の固定手段により固定される。この際には、第１のバスバー中継端子２０ａと第２のバスバー中継端子２０ｂとは相互間に第１の絶縁体２２ａの仕切りＰＷ２を挟持することにより相互に電気的に絶縁される。
【００７１】
第３の絶縁体２２ｃの第２位置決め凹所ＰＤ２及び切欠きＣＯに第３のバスバー中継端子２０ｃの第２平面ＰＨ２及び第２平面ＰＨ２と第１平面ＰＨ１との交差部位を格納した後に、第３のバスバー中継端子２０ｃの第１平面ＰＨ１を第２の絶縁体２２ｂの本体ＢＤの第１横溝ＳＧ１の底面及び突出部ＴＢにおいて放熱部材３２とは反対側の表面に載置する。この時、第２の絶縁体２２ｂの本体ＢＤの第１横溝ＳＧ１の底面及び突出部ＴＢの前記表面は、第２の絶縁体２２ｂにおける第３のバスバー中継端子２０ｃの位置決めとして機能する。
【００７２】
この後、第３の絶縁体２２ｃ及び第３のバスバー中継端子２０ｃの第２平面ＰＨ２を第２の絶縁体２２ｂの本体ＢＤの前記前端面の所定の位置に例えば固定ねじの如き公知の固定手段により固定するとともに、第３のバスバー中継端子２０ｃの第１平面ＰＨ１を第２の絶縁体２２ｂの突出部ＴＢの前記表面に例えば固定ねじの如き公知の固定手段により固定する。
【００７３】
次に、第２の絶縁体２２ｂの本体ＢＤの縦溝ＬＧの底面及び第２の横溝ＳＧ２の底面に第４のバスバー中継端子２０ｄを載置させた後に、第２の絶縁体２２ｂの本体ＢＤの縦溝ＬＧの底面及び第２の横溝ＳＧ２の底面に第４のバスバー中継端子２０ｄを例えば固定ねじの如き公知の固定手段により固定する。この時、第２の絶縁体２２ｂの縦溝ＬＧの底面及び第２の横溝ＳＧ２の底面は、第２の絶縁体２２ｂにおける第４のバスバー中継端子２０ｄの位置決めとして機能する。
【００７４】
この時、第２の絶縁体２２ｂの第１横溝ＳＧ１の底面に載置されている第３のバスバー中継端子２０ｃの第１平面ＰＨ１と第２の絶縁体２２ｂの縦溝ＬＧの底面に載置されている第３のバスバー中継端子２０ｄにおいて第１横溝ＳＧ１を横切る部位との間には、第２の絶縁体２２ｂの本体ＢＤにおいて放熱部材３２とは反対側に位置する表面からの第１横溝ＳＧ１の底面と縦溝ＬＧの底面との深さの差異により所定の隙間が生じている。
【００７５】
さらにこの時、第２の絶縁体２２ｂの突出部ＴＢにおいて放熱部材３２とは反対側の表面部位に載置されている第３のバスバー中継端子２０ｃの第１平面ＰＨ１の部位の第１及び第２の接続部ｄ１，ｄ２及び第２の絶縁体２２ｂの本体ＢＤの前記前端面上の第３の絶縁体２２ｃの第２の位置決め凹所ＰＤ２に格納されている第３のバスバー中継端子２０ｃの第２平面ＰＨ２の第３乃至第６の接続部ｃ３，ｃ４，ｃ５，ｃ６は、第２の絶縁体２２ｂの本体ＢＤの縦溝ＬＧ及び第２の横溝ＳＧ２の底面に載置されている第４のバスバー中継端子２０ｄの第１乃至第５の接続部ｄ１〜ｄ５から離間している。
【００７６】
次に、前述した如く、第１の絶縁体２２ａの第２区画Ｓ２に固定されている第２のバスバー中継端子２０ｃの第２平面ＰＳ２を第３の絶縁体２２ｃの第１位置決め凹所ＰＤ１に格納し、同時に第１の絶縁体２２ａにおいて第１及び第２区画Ｓ１，Ｓ２とは反対側の表面を第２の絶縁体２２ｂの本体ＢＤにおいて放熱部材３２とは反対側の表面の所定の位置に載置する。
【００７７】
この後、第１の絶縁体２２ａを第２の絶縁体２２ｂの本体ＢＤにおいて放熱部材３２とは反対側の表面の所定の位置に例えば固定ねじの如き公知の固定手段により固定する。この時、第１の絶縁体２２ａの切欠きＣＤが第２の絶縁体２２ｂの本体ＢＤの第１横溝ＳＧ１に合致する。
【００７８】
次に、第３の絶縁体２２ｃの切欠きＣＯを介して第２の絶縁体２２ｂの第１横溝ＳＧ１に第４の絶縁体２２ｄを挿入し、第２の絶縁体２２ｂの第１横溝ＳＧ１の底面に載置されている第３のバスバー中継端子２０ｃの第１平面ＰＨ１と第２の絶縁体２２ｂの縦溝ＬＧの底面に載置されている第３のバスバー中継端子２０ｄにおいて第１横溝ＳＧ１を横切る部位との間の前記隙間に第４の絶縁体２２ｄの前記縦溝対応部分を挿入する。
【００７９】
この時には、第２の絶縁体２２ｂの縦溝ＬＧの底面に対し第４の絶縁体２２ｄの前記縦溝対応部分において第１横溝ＳＧ１の底面とは反対側に位置する表面部位が面一になる。また、第４の絶縁体２２ｄの前記縦溝非対応部分において第１横溝ＳＧ１の底面とは反対側に位置する表面部位が第１の絶縁体２２ａの切欠きＣＤに受け入れら、前記縦溝非対応部分は第２の絶縁体２２ｂの前記前端面における第１横溝ＳＧ１の開口を塞ぐ。
【００８０】
このようにして組み合わされた第１乃至第４のバスバー中継端子２０ａ，２０ｂ，２０ｃ，２０ｄ及び第１乃至第４の絶縁体２２ａ，２２ｂ，２２ｃ，２２ｄは第２の実施形態のバスバー中継端子集合体２０を構成する。
【００８１】
ここにおいて第１及び第２のバスバー中継端子２０ａ及び２０ｂは、相互間に挟持された第１の絶縁部材２２ａの仕切り壁ＰＷ２により相互に電気的に絶縁されている。第１及び第２のバスバー中継端子２０ａ及び２０ｂはまた、第３のバスバー中継端子２０ｃに対し、これ等の間に挟持された第１の絶縁体２２ａ，第２の絶縁体２２ｂ，第３の絶縁体２２ｃ，第４の絶縁体２２ｄにより相互に電気的に絶縁されている。第１及び第２のバスバー中継端子２０ａ及び２０ｂはさらに、第４のバスバー中継端子２０ｄに対し、これ等の間に挟持された第１の絶縁体２２ａ及び第２の絶縁体２２ｂにより相互に電気的に絶縁されている。第３及び第４のバスバー中継端子２０ｃ，２０ｄは、相互間に挟持された第２の絶縁体２２ａ及び第４の絶縁体２２ｄにより相互に絶縁されている。
【００８２】
ここにおいてはまた、第１のバスバー中継端子２０ａの第１の接続部ａ１及び第２のバスバー中継端子２０ｂの第１平面ＰＳ１の第１の接続部ｂ１は、第２の絶縁体２２ｂの本体ＢＤの長手方向において相互に離れた所定位置において第１の絶縁体２２ａ及び第２の絶縁体２２の本体ＢＤから電気回路ユニット３０の一端部に向かい突出している。
【００８３】
第２の絶縁体２２ｂの突出部ＴＢ上の第３のバスバー中継端子２０ｃの第１平面ＰＨ１の第１及び第２の接続部ｃ１，ｃ２もまた、第２の絶縁体２２ｂの本体ＢＤの長手方向において相互に離れた所定位置において第２の絶縁体２２の本体ＢＤから電気回路ユニット３０の一端部に向かい突出している。第３のバスバー中継端子２０ｃの第１平面ＰＨ１の第１及び第２の接続部ｃ１，ｃ２はまた、第１のバスバー中継端子２０ａの第１の接続部ａ１及び第２のバスバー中継端子２０ｂの第１平面ＰＳ１の第１の接続部ｂ１に対し、第２の絶縁体２２の本体ＢＤの第１横溝ＳＧ１の深さ方向において離間している。
【００８４】
第２の絶縁体２２ｂの縦溝ＬＧ上の第４のバスバー中継端子２０ｃの第１及び第２の接続部ｄ１，ｄ２は、第２の絶縁体２２ｂの本体ＢＤの長手方向において相互に離れた所定位置において第２の絶縁体２２の本体ＢＤから電気回路ユニット３０の一端部に向かい突出している。第２の絶縁体２２ｂの縦溝ＬＧ上の第４のバスバー中継端子２０ｃの第１及び第２の接続部ｄ１，ｄ２はまた、第１のバスバー中継端子２０ａの第１の接続部ａ１及び第２のバスバー中継端子２０ｂの第１平面ＰＳ１の第１の接続部ｂ１に対し、第１の絶縁体２２ａの第１及び第２区画Ｓ１，Ｓ２の厚さ方向において第１及び第２区画Ｓ１，Ｓ２の厚さ分だけ離間している。第２の絶縁体２２ｂの縦溝ＬＧ上の第４のバスバー中継端子２０ｃの第１及び第２の接続部ｄ１，ｄ２はさらに、第３のバスバー中継端子２０ｃの第１平面ＰＨ１の第１及び第２の接続部ｃ１，ｃ２に対し、第４の絶縁体２２ｄの前記縦溝対応部分の厚さ分だけ離間している。
【００８５】
第１のバスバー中継端子２０ａにおいて第２の絶縁体２２ｂの本体ＢＤの前記前端面側の第２乃至第４の接続部ａ２，ａ３，ａ４は、第２のバスバー中継端子２０ｂの第１表面ＰＳ１において第２の絶縁体２２ｂの本体ＢＤの前記前端面側の第２乃至第７の接続部ｂ２，ｂ３，ｂ４，ｂ５，ｂ６，ｂ７に対し、第１絶縁体２２ａの長手方向において離間している。第１のバスバー中継端子２０ａの第２乃至第４の接続部ａ２，ａ３，ａ４に対し、第２のバスバー中継端子２０ｂにおいて第２の絶縁体２２ｂの本体ＢＤの前記前端面上の第３の絶縁体２２ｃの第１の位置決め凹所ＰＤ１中に格納されている第２表面ＰＳ２の第８乃至第１１の接続部ｂ８，ｂ９，ｂ１０，ｂ１１は、第１の絶縁体２２ａの厚さ方向において放熱部材３２に向かう方向に離間している。
【００８６】
第３のバスバー中継端子２０ｃにおいて第２の絶縁体２２ｂの本体ＢＤの前記前端面上の第３の絶縁体２２ｃの第２の位置決め凹所ＰＤ２中に格納されている第２平面ＰＨ２の第３乃至第６の接続部ｃ３，ｃ４，ｃ５，ｃ６は、第１のバスバー中継端子２０ａの第２乃至第４の接続部ａ２，ａ３，ａ４、第２のバスバー中継端子２０ｂの第１表面ＰＳ１の第２乃至第７の接続部ｂ２，ｂ３，ｂ４，ｂ５，ｂ６，ｂ７、そして第２のバスバー中継端子２０ｂの第２表面ＰＳ２の第８乃至第１１の接続部ｂ８，ｂ９，ｂ１０，ｂ１１に対し、第２の絶縁体２２ｂの本体ＢＤの長手方向において第１のバスバー中継端子２０ａ及び第２のバスバー中継端子２０ｂから遠ざかる方向に離間している。
【００８７】
第３のバスバー中継端子２０ｃの第２平面ＰＨ２の第３乃至第６の接続部ｃ３，ｃ４，ｃ５，ｃ６は、第４のバスバー中継端子２０ｃにおいて第２の絶縁体２２ｂの本体ＢＤの前記前端面側の第３乃至第５の接続部ｄ３，ｄ４，ｄ５に対し、第２の絶縁体２２ｂの本体ＢＤの前記前端面に沿い放熱部材３２に向かう方向に離間している。
【００８８】
このようにして第１乃至第４のバスバー中継端子２０ａ，２０ｂ，２０ｃ，２０ｄ及び第１乃至第４の絶縁体２２ａ，２２ｂ，２２ｃ，２２ｄが組み合わされた第２の実施形態のバスバー中継端子集合体２０は、図２及び図３中に示されている如く、電気回路ユニット３０の一端部に設けられることにより、前述した如く、第１のバスバー中継端子２０ａの第１の接続部ａ１，第２のバスバー中継端子２０ｂの第１の接続部ｂ１，第３のバスバー中継端子２０ｃの第１及び第２の接続部ｃ１，ｃ２，そして第４のバスバー中継端子２０ｄの第１及び第２の接続部ｄ１，ｄ２に対し、電気回路ユニット３０の第１及び第２のバスバー２４ａ，２４ｂ，前述した図示されていない２つのバスバー，そして第３及び第４のバスバー２４ｃ，２４ｄの延出端が電気的に接続される。
【００８９】
さらに、前述した如く、第１のバスバー中継端子２０ａの第２乃至第４の接続部ａ２，ａ３，ａ４、第２のバスバー中継端子２０ｂの第２乃至第１１の接続部ｂ２，ｂ３，ｂ４，ｂ５，ｂ６，ｂ７，ｂ８，ｂ９，ｂ１０，ｂ１１，第３のバスバー中継端子２０ｃの第３乃至第６の接続部ｃ３，ｃ４，ｃ５，ｃ６、そして第４のバスバー中継端子２０ｄの第３乃至第５の接続部ｄ３，ｄ４，ｄ５に対し、第１乃至第２０の外部接続バスバー２６ａ，２６ｂ，２６ｃ，２６ｄ，２６ｅ，２６ｆ，２６ｇ，２６ｈ，２６ｉ，２６ｊ，２６ｋ，２６ｌ，２６ｍ，２６ｎ，２６ｏ，２６ｐ，２６ｑ，２６ｒ，２６ｓ，２６ｔの延出端を電気的に接続することが出来る。
【００９０】
このようにして第１乃至第４のバスバー中継端子２０ａ，２０ｂ，２０ｃ，２０ｄ及び第１乃至第４の絶縁体２２ａ，２２ｂ，２２ｃ，２２ｄが組み合わされた第２の実施形態のバスバー中継端子集合体２０は、従来に比べ、電気回路ユニット３０の第１及び第２のバスバー２４ａ，２４ｂ，前述した図示されていない２つのバスバー，そして第３及び第４のバスバー２４ｃ，２４ｄ、また第１乃至第２０の外部接続バスバー２６ａ，２６ｂ，２６ｃ，２６ｄ，２６ｅ，２６ｆ，２６ｇ，２６ｈ，２６ｉ，２６ｊ，２６ｋ，２６ｌ，２６ｍ，２６ｎ，２６ｏ，２６ｐ，２６ｑ，２６ｒ，２６ｓ，２６ｔ、さらに第１乃至第４のバスバー中継端子２０ａ，２０ｂ，２０ｃ，２０ｄの配置に要する空間を小さくすることができる。
【００９１】
しかも電気回路ユニット３０の第１及び第２のバスバー２４ａ，２４ｂ，前述した図示されていない２つのバスバー，そして第３及び第４のバスバー２４ｃ，２４ｄ、また第１乃至第２０の外部接続バスバー２６ａ，２６ｂ，２６ｃ，２６ｄ，２６ｅ，２６ｆ，２６ｇ，２６ｈ，２６ｉ，２６ｊ，２６ｋ，２６ｌ，２６ｍ，２６ｎ，２６ｏ，２６ｐ，２６ｑ，２６ｒ，２６ｓ，２６ｔ、さらに第１乃至第４のバスバー中継端子２０ａ，２０ｂ，２０ｃ，２０ｄの相互間の絶縁を確実に確保することが出来る。
【００９２】
さらに１つの電気回路ユニット３０に加えられる可能性のある振動や衝撃により、電気回路ユニット３０の第１及び第２のバスバー２４ａ，２４ｂ，前述した図示されていない２つのバスバー，そして第３及び第４のバスバー２４ｃ，２４ｄ、また第１乃至第２０の外部接続バスバー２６ａ，２６ｂ，２６ｃ，２６ｄ，２６ｅ，２６ｆ，２６ｇ，２６ｈ，２６ｉ，２６ｊ，２６ｋ，２６ｌ，２６ｍ，２６ｎ，２６ｏ，２６ｐ，２６ｑ，２６ｒ，２６ｓ，２６ｔ、そして第１乃至第４のバスバー中継端子２０ａ，２０ｂ，２０ｃ，２０ｄが破損する可能性を従来に比べ大きく減少させることが出来る。
【００９３】
さらにこの実施形態では、第２のバスバー中継端子２０ｂの第１乃至第１１の接続部ｂ１，ｂ２，ｂ３，ｂ４，ｂ５，ｂ６，ｂ７，ｂ８，ｂ９，ｂ１０，ｂ１１を相互に交差する第１平面ＰＳ１と第２平面ＰＳ２とに分散して配置することが出来、また第３のバスバー中継端子２０ｃの第１乃至第６の接続部ｃ１，ｃ２，ｃ３，ｃ４，ｃ５，ｃ６を相互に交差する第１平面ＰＨ１と第２平面ＰＨ２とに分散して配置することが出来るので、従来に比べ、電気回路ユニット３０の第１及び第２のバスバー２４ａ，２４ｂ，前述した図示されていない２つのバスバー，そして第３及び第４のバスバー２４ｃ，２４ｄ、また第１乃至第２０の外部接続バスバー２６ａ，２６ｂ，２６ｃ，２６ｄ，２６ｅ，２６ｆ，２６ｇ，２６ｈ，２６ｉ，２６ｊ，２６ｋ，２６ｌ，２６ｍ，２６ｎ，２６ｏ，２６ｐ，２６ｑ，２６ｒ，２６ｓ，２６ｔ、そして第１乃至第４のバスバー中継端子２０ａ，２０ｂ，２０ｃ，２０ｄの配置に要する空間をさらに小さくすることができる。
【００９４】
本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれるとともに、特許請求の範囲に記載された発明とその均等の範囲に含まれる。
【符号の説明】
【００９５】
１０…バスバー中継端子集合体、１２ａ…回路基板、１２ｂ…第１の電気又は電子部品、１２ｃ…第２の電気又は電子部品、１２ｄ…第３の電気又は電子部品、１２ｅ…第４の電気又は電子部品、１４ａ…第１のバスバー、１４ｂ…第２のバスバー、１４ｃ…第３のバスバー、１４ｄ…第４のバスバー、１４ｅ…第５のバスバー、１４ｆ…第６のバスバー、１４ｇ…第７のバスバー、１４ｈ…第８のバスバー、１４ｉ…第９のバスバー、１４ｊ…第１０のバスバー、１４ｋ…第１１のバスバー、１４ｌ…第１２のバスバー；１０ａ…第１のバスバー中継端子、ＦＬ１…第１脚部分、ＳＬ１…第２脚部分、ａ１…第１の接続部、ａ２…第２の接続部、ａ３…第３の接続部；１０ｂ…第２のバスバー中継端子、ＦＬ２…第１脚部分、ＳＬ２…第２脚部分、ｂ１…第１の接続部、ｂ２…第２の接続部、ｂ３…第３の接続部；１０ｃ…第３のバスバー中継端子、ＦＬ３…第１脚部分、ＳＬ３…第２脚部分、ｃ１…第１の接続部、ｃ２…第２の接続部、ｃ３…第３の接続部；１０ｄ…第１の絶縁体、１０ｅ…第２の絶縁体、
２０…バスバー中継端子集合体、２４ａ…第１バスバー、２４ｂ…第２バスバー、２４ｃ…第３バスバー、２４ｄ…第４バスバー，２６ａ…第１の外部接続バスバー、２６ｂ…第２の外部接続バスバー、２６ｃ…第３の外部接続バスバー、２６ｄ…第４の外部接続バスバー、２６ｅ…第５の外部接続バスバー、２６ｆ…第６の外部接続バスバー、２６ｇ…第７の外部接続バスバー、２６ｈ…第８の外部接続バスバー、２６ｉ…第９の外部接続バスバー、２６ｊ…第１０の外部接続バスバー、２６ｋ…第１１の外部接続バスバー、２６ｌ…第１２の外部接続バスバー、２６ｍ…第１３の外部接続バスバー、２６ｎ…第１４の外部接続バスバー、２６ｏ…第１５の外部接続バスバー、２６ｐ…第１６の外部接続バスバー、２６ｑ…第１７の外部接続バスバー、２６ｒ…第１８の外部接続バスバー、２６ｓ…第１９の外部接続バスバー、２６ｔ…第２０の外部接続バスバー、３０…電気回路ユニット、３２…放熱部材、３４…保護カバー；２０ａ…第１のバスバー中継端子、ａ１…第１の接続部、ａ２…第２の接続部、ａ３…第３の接続部、ａ４…第４の接続部；２０ｂ…第２のバスバー中継端子、ＰＳ１…第１平面、ＰＳ２…第２平面、ｂ１…第１の接続部、ｂ２…第２の接続部、ｂ３…第３の接続部、ｂ４…第４の接続部、ｂ５…第５の接続部、ｂ６…第６の接続部、ｂ７…第７の接続部、ｂ８…第８の接続部、ｂ９…第９の接続部、ｂ１０…第１０の接続部、ｂ１１…第１１の接続部；２０ｃ…第３のバスバー中継端子、ＰＨ１…第１平面、ＰＨ２…第２平面、ｃ１…第１の接続部、ｃ２…第２の接続部、ｃ３…第３の接続部、ｃ４…第４の接続部、ｃ５…第５の接続部、ｃ６…第６の接続部；２０ｄ…第４のバスバー中継端子、ｄ１…第１の接続部、ｄ２…第２の接続部、ｄ３…第３の接続部、ｄ４…第４の接続部、ｄ５…第５の接続部；２２ａ…第１の絶縁体、ＰＷ１…仕切り、ＰＷ２…仕切り、ＰＷ３…仕切り、Ｓ１…第１区画、Ｓ２…第２区画、ＣＤ…切欠き；２２ｂ…第２の絶縁体、ＢＤ…本体、ＴＢ…突出部、ＳＧ１…第１横溝、ＬＧ…縦溝、ＳＧ２…第２横溝；２２ｃ…第３の絶縁体、ＣＯ…切欠き、ＰＤ１…第１位置決め凹所、ＰＤ２…第２位置決め凹所；２２ｄ…第４の絶縁体。
【図１】
2017055524.tif 000003
【図２】
2017055524.tif 000004
【図３】
2017055524.tif 000005
【図４】
2017055524.tif 000006